(57)【要約】【課題】建造物の屋上または壁面またはベランダに送信装置を設置し、建造物の各部屋の窓やベランダに受信装置を設置することで、送信装置から複数の受信装置に放送信号を無線で配信する放送信号の送受信装置において、送信装置からの送信電波を各受信装置に確実に伝送でき、しかも、受信装置側では、送信装置からの送信電波の反射波の影響を受けることなく、放送信号を良好に復元できるようにする。【解決手段】送信アンテナ１２からの送信電波の一部が、建造物の側壁や地上に存在する金属板や自動車などの物体で反射し、その反射波が受信アンテナ２２で受信されても、取付金具２４を介して受信装置２０の設置位置を調整して、反射波の高周波位相を制御することで、反射波の影響を軽減できるようにする。【選択図】  図３
2005005980.tif 000002
【特許請求の範囲】
【請求項１】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記送信装置は、取付金具を介して前記建造物に設置され、
前記各受信装置は、前記建造物の各階で取付金具を介して設置され、前記受信装置の設置位置を水平面及び垂直面の少なくとも一方に沿って移動させる機構を備えたことを特徴とする放送信号の送受信装置。
【請求項２】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記送信装置は、前記各受信装置よりも上方で取付金具を介して前記建造物に設置され、
前記各受信装置は、前記建造物の各階で取付金具を介して設置され、前記建造物の下方から入射した電波が該取付金具で乱反射するか、または特定方向に反射するように形成されたことを特徴とする放送信号の送受信装置。
【請求項３】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記送信装置は、前記各受信装置よりも上方で取付金具を介して前記建造物に設置され、
前記各受信装置は、前記建造物の各階で取付金具を介して設置され、前記建造物の下方から入射した電波の反射が少なくなるよう、電波の反射効率の低い素材で被覆されたことを特徴とする放送信号の送受信装置。
【請求項４】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記送信装置は、前記各受信装置よりも上方で取付金具を介して前記建造物に設置され、
前記各受信装置は、前記建造物の各階で取付金具を介して設置され、前記建造物の下方から入射した電波を特定の受信装置に向けて反射することのないよう、前記建造物への取付角度を調整できる機構を備えたことを特徴とする放送信号の送受信装置。
【請求項５】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記各受信装置は、前記建造物の各階で取付金具を介して設置され、
前記送信装置は、前記各受信装置よりも上方で取付金具を介して前記建造物に設置され、前記建造物の下方から入射した電波が該取付金具で乱反射するか、または特定方向に反射するように形成されたことを特徴とする放送信号の送受信装置。
【請求項６】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記各受信装置は、前記建造物の各階で取付金具を介して設置され、
前記送信装置は、前記各受信装置よりも上方で取付金具を介して前記建造物に設置され、前記建造物の下方から入射した電波の反射が少なくなるよう、電波の反射効率の低い素材で被覆されたことを特徴とする放送信号の送受信装置。
【請求項７】
複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、
前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置と、
から成り、
前記各受信装置は、前記建造物の各階で取付金具を介して設置され、
前記送信装置は、前記各受信装置よりも上方で取付金具を介して前記建造物に設置され、前記建造物の下方から入射した電波を特定の受信装置に向けて反射することのないよう、前記建造物への取付角度を調整できる機構を備えたことを特徴とする放送信号の送受信装置。
【発明の詳細な説明】
【０００１】
【発明の属する技術分野】
本発明は、集合住宅などの複数階建ての建造物において、各階の部屋に放送信号を無線にて配信する放送信号の送受信装置に関する。
【０００２】
【従来の技術】
従来より、衛星放送や地上波放送などの放送電波を受信する放送受信アンテナからの受信信号を受信端末に伝送する装置の一つとして、放送受信アンテナにて受信された放送信号をミリ波帯の周波数にアップコンバートして送信アンテナから送信する送信装置と、この送信装置からの送信電波を受信アンテナにて受信し、その受信信号をダウンコンバートすることにより、放送受信アンテナから出力された元の受信信号を復元して、受信端末側に出力する受信装置と、を備えた放送信号の送受信装置が知られている（例えば特許文献１参照）。
【０００３】
【特許文献１】
特開２０００−３５３９７１号公報
【０００４】
【発明が解決しようとする課題】
ところで、この種の送受信装置をマンションなどの建造物に設置する場合、図６に例示するように、その建造物の屋上付近に、建造物の側壁よりも外側に突出させて送信装置１０を設置し、この送信装置１０から各部屋の窓やベランダに設置された受信装置２０にミリ波を送信することになる。
【０００５】
この送受信装置で送受信される電波は、数十ＧＨｚのミリ波であるため電波の直進性が強く、受信装置２０におけるＣＮ比を確保するためには、受信アンテナ２２を送信アンテナ１２の放射ビームの中心軸方向、すなわち、送信装置１０と受信装置２０とを鉛直線上に配置することになる。ただし、送信アンテナ１２からの送信電波が上の階の受信装置２０やその取付金具２４で遮蔽されて、下の階の受信装置２０に電波が届き難くならないように、受信アンテナ２２の取付位置（側壁面方向、あるいは側壁面からの突出量）を調整し、受信アンテナ２２を送信アンテナ１２から見渡せる位置に設置する。
【０００６】
この際に、建造物の側壁などで送信装置１０の送信アンテナ１２から送信された電波が反射し、その反射波が受信装置２０の受信アンテナ２２にて受信されてしまい、受信装置２０側で元の放送信号を良好に復元できなくなることが懸念される。
【０００７】
そこで、本願発明者らが、送信装置１０と受信装置２０とを用いて、建造物における受信装置２０側での反射波の影響を確認する実験を行ったところ、その側壁による反射波以外にも、たとえば金属板や自動車といった地上に存在する物体５０によって反射した反射波の影響があることがわかった。
【０００８】
つまり、図６に点線で示すように、送信アンテナ１２からの送信電波は、地上に存在する金属板や自動車などの物体５０で反射し、更にその反射波が、送信装置１０や、送信装置１０を建造物に設置するのに用いられる取付金具１４で反射して、受信アンテナ２２に入射してしまうのである。同様に、送信アンテナ１２からの送信電波は、地上に存在する金属板や自動車などの物体５０で反射し、更にその反射波が、上の階の受信装置２０やその受信装置２０を建造物に設置するのに用いられる取付金具２４で反射して、下の階の受信アンテナ２２に入射してしまうのである。
【０００９】
すなわち、送信装置１０や送信装置１０を建造物に設置するのに用いられる取付金具１４、受信装置２０や受信装置２０を建造物に設置するのに用いられる取付金具２４などが反射波の生成に深く関係しており、放送信号の送受信装置における受信信号品質に大きな影響を与えてしまうことがわかった。
【００１０】
本発明は、こうした問題に鑑みなされたものであり、建造物の屋上または壁面、またはベランダなどの位置に送信装置を設置し、建造物の各部屋の窓やベランダに受信装置を設置することで、送信装置から複数の受信装置に放送信号を無線で配信する放送信号の送受信装置において、受信装置側では、送信装置からの送信電波の反射波の影響をほとんど受けることなく、放送信号を良好に復元できるようにすることを目的とする。
【００１１】
【課題を解決するための手段】
かかる目的を達成するためになされた請求項１に記載の発明は、複数階建ての建造物において、各階の部屋に放送信号を無線にて配信するために、該放送信号を送信側局発信号を用いて所定周波数帯へアップコンバートし、該アップコンバート後の信号を、一体化された送信アンテナから放射する送信装置と、前記送信アンテナからの送信電波を、一体化された受信アンテナにて受信し、該受信信号を受信側局発信号を用いてダウンコンバートすることにより、前記放送信号を復元し、該復元した放送信号を受信端末に伝送する複数の受信装置とから成り、前記送信装置は、取付金具を介して前記建造物に設置され、前記各受信装置は、前記建造物の各階で取付金具を介して設置され、前記受信装置の設置位置を水平面及び垂直面の少なくとも一方に沿って移動させる機構を備えたことを特徴とする。
【００１２】
つまり、このようにすれば、送信アンテナからの送信電波あるいはその一部が建造物の側壁や地上に存在する金属板や自動車などの物体で反射し、その反射波が受信装置の受信アンテナで受信されても、受信装置の設置位置を水平面及び垂直面の少なくとも一方に沿って移動させることにより、前記反射波の高周波位相を制御することで、前記反射波による影響を低減し、放送信号の送受信特性を向上することが可能となる。
【００１３】
また、送信アンテナからの送信電波が地上の物体で反射し、その反射波が上階にある受信装置の取付金具を介して下の階の受信装置の受信アンテナに入射するのを防止するには、請求項２若しくは請求項５に記載のように、建造物の各階に取付金具を介して設置される受信装置、若しくは、各受信装置よりも上方で取付金具を介して設置される送信装置を、建造物の下方から入射した電波が取付金具で乱反射するか、または特定方向に反射するように形成するとよい。
【００１４】
具体的には、例えば、受信装置や送信装置の取付金具自体を湾曲させたり、その表面を曲面とすることによって、取付金具全体を曲線形状にしたり、取付金具の表面に凹凸を設けたり、或いは、取付金具の断面を多角形にしたりすることにより、受信装置や送信装置の取付金具に建造物の下方から入射した電波を、その取付金具で乱反射または特定方向に反射させて、受信装置の受信アンテナに入射する反射波の信号レベルを小さくするのである。
【００１５】
また同様に、送信アンテナからの送信電波が地上の物体で反射し、その反射波が送信装置あるいは上階にある受信装置の取付金具を介して、受信装置の受信アンテナに入射するのを防止するには、請求項３若しくは請求項６に記載のように、建造物の各階に取付金具を介して設置される受信装置、若しくは、各受信装置よりも上方で取付金具を介して設置される送信装置を、建造物の下方から入射した電波の反射が少なくなるように、電波の反射効率の低い素材で被覆するか、あるいは、請求項４若しくは請求項７に記載のように、建造物の各階に取付金具を介して設置される受信装置、若しくは、各受信装置よりも上方で取付金具を介して設置される送信装置に対して、建造物の下方から入射した電波を特定の受信装置に向けて反射することのないよう、建造物への取付角度を調整できる機構を設けるようにしてもよい。
【００１６】
つまり、建造物の各階に設けられる受信装置若しくは各受信装置よりも上方に設置される送信装置を、請求項２〜請求項７に記載のように構成すれば、それよりも下方に位置する受信装置の受信アンテナに対する各装置の等価反射断面積を小さくして、送信装置あるいは上階にある受信装置を介して受信装置の受信アンテナに入射する反射波の信号レベルを小さくすることができるようになるのである。
【００１７】
なお、請求項１〜請求項７に記載の発明は各々単独で実現してもよいが、これら各請求項１〜７の発明を組み合わせて送受信装置を実現すれば、本発明の効果をより発揮することができる。
【００１８】
【発明の実施の形態】
以下に、本発明の実施形態を図面と共に説明する。
図１は、本発明が適用された実施例の放送信号の送受信装置全体の構成を表すブロック図である。
【００１９】
図１に示すように、本実施例の放送信号の送受信装置は、複数階建て（図では１階（１Ｆ）から４階（４Ｆ）までの４階建て）の建造物（例えば集合住宅など）の屋上に設置されたＢＳ／ＣＳアンテナ２からの出力を、建造物の各階の部屋に無線にて配信するものであり、ＢＳ／ＣＳアンテナ２が設置された屋上付近に設けられた送信装置１０と、各部屋で送信装置１０を見渡せる位置（例えばベランダなど）に設置された複数の受信装置２０とを備える。
【００２０】
ＢＳ／ＣＳアンテナ２は、反射鏡２ａと、支持腕を介して反射鏡２ａの焦点位置に配置された受信ユニット２ｂとからなり、放送／通信衛星（ＢＳ／ＣＳ）からの送信電波を受信して、その受信信号（周波数：例えば１１．７ＧＨｚ〜１２．７５ＧＨｚ）を、受信ユニット２ｂに内蔵されたコンバータによって、受信信号よりも低い所定周波数帯（例えば、１０３２〜２０７１ＭＨｚ）の中間周波信号（ＢＳ／ＣＳ−ＩＦ信号）にダウンコンバートして出力する周知のものである。
【００２１】
そして、このＢＳ／ＣＳアンテナ２から出力されるＢＳ／ＣＳ−ＩＦ信号（つまり放送信号）は、同軸ケーブルからなる伝送線Ｌ１を介して送信装置１０に入力され、送信装置１０は、その入力されたＢＳ／ＣＳ−ＩＦ信号を、ミリ波帯（本実施例では６０ＧＨｚ帯）にアップコンバートして、送信アンテナ１２から放射する。なお、送信アンテナ１２は、送信装置１０に一体化されている。
【００２２】
また、ＢＳ／ＣＳアンテナ２と送信装置１０とを接続する伝送線Ｌ１上には、ＢＳ／ＣＳアンテナ２の受信ユニット２ｂと送信装置１０とに電源を供給するための電源挿入器４が設けられており、ＢＳ／ＣＳアンテナ２の受信ユニット２ｂおよび送信装置１０には、この電源挿入器４および伝送線Ｌ１を介して、電源装置６から出力される直流の電源電圧（例えば、ＤＣ１５Ｖ）が供給される。
【００２３】
一方、受信装置２０は、送信アンテナ１２からの送信電波（ミリ波）を、受信装置２０に一体化された受信アンテナ２２で受信し、その受信信号をダウンコンバートすることにより、ＢＳ／ＣＳアンテナ２が出力した元のＢＳ／ＣＳ−ＩＦ信号を復元し、同軸ケーブルからなる伝送線Ｌ２を介して、対応する部屋に設置されたＢＳ／ＣＳチューナ８などの受信端末に出力する。
【００２４】
また、ＢＳ／ＣＳチューナ８などの受信端末は、同軸ケーブルを介してＢＳ／ＣＳアンテナに直接、電源を供給するために、伝送線Ｌ２が接続される受信信号の入力端子から電源電圧（例えば、ＤＣ１５Ｖ）を出力できるようになっているので、本実施例では、受信装置２０が、ＢＳ／ＣＳチューナ８などの受信端末から伝送線Ｌ２を介して電源供給を受けて動作するようにされている。
【００２５】
次に、送信装置１０は、図６に示したシステムと同様、建造物の屋上のフェンスなどに、取付金具１４を介して外方向に突出させて固定されており、送信アンテナ１２の電波の放射方向は下方に向けられている。また、同様に、受信装置２０は、建造物各階のフェンスなどに、取付金具２４を介して外方向に突出させて固定されており、受信アンテナ２２の電波の受信方向は上方に向けられている。
【００２６】
また、図２に示すように、送信装置１０は、建造物各階の部屋のうち、隣り合う２部屋に１つの割で、各部屋の境界線付近に設置されており、送信アンテナ１２の指向特性は、電波の放射ビームの中心軸（ビーム中心軸）が、この境界線に沿った略鉛直線上となるように調整されており、各受信装置２０は、送信装置１０に近い上の階の受信装置２０ほど、送信アンテナ１２のビーム中心軸からの距離が長くなるように、建造物の側壁面に沿って配置されている。
【００２７】
各階の受信装置２０は、送信アンテナ１２のビーム中心軸から高所の受信装置２０ほど離れるように配置されているので、送信アンテナ１２からの送信電波が、地上に存在する金属板や自動車などで反射したとしても、その反射波が、送信装置１０の取付金具１４で反射して、受信装置２０の受信アンテナ２２に入射してしまう影響を、高所にある受信装置２０ほど受けにくくすることができる。
【００２８】
また、送信アンテナ１２のビーム中心軸から高所の受信装置２０ほど離れるように設置されているので、送信アンテナ１２からの送信電波が地上に存在する金属板や自動車などで反射し、その反射波が上の階にある受信装置２０の取付金具２４で反射して、下の階にある受信装置２０の受信アンテナ２２に入射してしまう影響についても、受けにくくすることができる。
【００２９】
また、図３に示すように、各階の受信装置２０は、送信アンテナ１２からの送信電波あるいはその一部が、建造物の側壁あるいは地上に存在する金属板や自動車などで反射したとしても、取付金具２４を介して設置位置を調整することにより、反射波の高周波位相を制御して、その反射波による影響を受けにくくすることができるようにされている。
【００３０】
つまり、受信装置２０の取付金具２４は、受信装置２０を建造物の側壁であるベランダに沿って水平方向（図３に示すＷ方向）に移動させたり、受信装置２０のベランダからの突出量Ｈを調整したり、受信アンテナ２２の傾き（図３に示すθ）を調整することができるように構成されており、各受信装置２０は、取付金具２４を介して設置位置を調整することにより、送信装置１０からの送信電波の反射波の影響をほとんど受けることなく、放送信号を良好に復元できるようになるのである。
【００３１】
なお、取付金具２４は、図４に示すように、Ｌ字状のアーム２４ａと、アーム２４ａの一端に受信装置２０を固定するための固定具２４ｂと、アーム２４ａの他端を挿入するための挿入孔２４ｃ及びベランダの外壁に当接可能な板部２４ｄを有する金具本体２４ｅと、金具本体２４ｅに連結されて板部２４ｄとの間でベランダの外壁を挟持するための取付板２４ｆとから構成されている。
【００３２】
また、金具本体２４ｅの板部２４ｄと取付板２４ｆとの間隔は、ボルト２４ｇを介して調整できるようにされており、ベランダへの取付時には、このボルト２４ｇを締め付けることによって、板部２４ｄと取付板２４ｆとでベランダの外壁を挟持できるようにされている。このため、受信装置２０のベランダへの設置位置を調整する際には、このボルト２４ｇを緩めて取付金具２４自体をベランダに沿って移動させればよい。
【００３３】
また、固定具２４ｂは、Ｕ字状に形成された２本のボルト２４ｈの先端を、それぞれ、固定具２４ｂに穿設された挿通孔に挿通して、各ボルト２４ｈの湾曲部と固定具２４ｂとの間にアーム２４ａの一端を挿通し、固定具２４ｂから突出したボルト２４ｈの先端をそれぞれナット２４ｉで締め付けることにより、アーム２４ａに固定される。
【００３４】
このため、固定具２４ｂのアーム２４ａへの固定位置（換言すれば、受信装置２０のベランダからの突出量Ｈ）や、固定具２４ｂのベランダ壁面に沿った面上での傾き（換言すれば受信装置２０のベランダ壁面に沿った面上での傾きθ）は、固定具２４ｂをアーム２４ａへ固定する際に調整できる。
【００３５】
また、固定具２４ｂには、受信装置２０を固定するための板部２４ｊが立設されており、板部２４ｊには、受信装置２０に設けられた板部２０ａを２本のボルト２４ｋで固定するために、各ボルト２４ｋの挿通孔２４ｍ、２４ｎが穿設されている。そして、この２つの挿通孔２４ｍ、２４ｎの内、一方の挿通孔２４ｍは、他方の挿通孔２４ｎを中心とする円弧形状の長穴になっている。
【００３６】
このため、受信装置２０のベランダ壁面に直交する面上での傾きθは、２本のボルト２４ｋで受信装置２０を固定具２４ｂに固定した後、挿通孔２４ｎに挿通されたボルト２４ｋを支点として受信装置２０を傾けることによって、容易に調整できる。そして、この傾き調整後は、２本のボルト２４ｋを締め付ければ、受信装置２０を固定具２４ｂにしっかりと固定することができる。
【００３７】
なお、アーム２４ａは、金具本体２４ｅの挿通孔２４ｃに挿入することにより、ベランダに設置されることになるが、挿通孔２４ｃの外壁及びアーム２４ａには、２本のボルト２４ｏを使ってアーム２４ａを金具本体２４ｅに固定するための孔が穿設されている。
【００３８】
以上、本発明の実施例について説明したが、本発明は上記実施例に限定されるものではなく、種々の態様を採ることができる。
例えば、上記実施例では、送信装置１０の建造物への取り付けは、図６に示した取付金具１４を用いて行うものとして説明したが、図６に示した取付金具１４のように、棒状のアーム部を建造物から略水平方向に延ばし、その先端に送信装置１０を固定するようにすると、この取付金具１４を構成しているアーム部によって、地上の物体からの反射波が反射され易くなるので、図５（ａ）、（ｂ）に示すように、取付金具１４を、曲線形状のアーム部１４ｂを用いて送信装置１０を支持するように構成してもよい。
【００３９】
すなわち、図５（ａ）、（ｂ）に示す送信装置１０の取付金具１４は、曲線形状のアーム部１４ｂが突設された板状の金具本体１４ａと、この金具本体１４ａとの間で建造物の屋上のフェンスなどを挟持するための取付板１４ｃと、金具本体１４ａと取付板１４ｃとを連結してこれらをフェンスなどに締付固定するための一対のネジ部１４ｄとから構成されており、金具本体１４ａに突設された曲線形状のアーム部１４ｂの開放端側には、送信装置１０が下向きに固定されている。
【００４０】
そして、このように送信装置１０を建造物の側壁から突出させるためのアーム部１４ｂを曲線形状にした場合には、送信装置１０の取付金具１４（詳しくはアーム部１４ｂ）に建造物の下方から反射波が入射したとしても、その反射波が、取付金具１４（詳しくはアーム部１４ｂ）で周囲に拡散されることになり、受信装置２０の受信アンテナ２２に入射する反射波の信号レベルを小さくすることができる。
【００４１】
よって、送信装置１０の取付金具１４に、図５（ａ）、（ｂ）に示したものを使用すれば、送信アンテナ１２からの送信電波が地上の物体で反射し、その反射波が送信装置１０の取付金具１４を介して、受信装置２０の受信アンテナ２２に入射するのをより確実に防止することができる。
【００４２】
そして、この場合、アーム部１４ｂは、図５（ｃ）に示すように、断面が円形の棒状部材を所定半径で折り曲げることにより曲線形状にすれば、アーム部１４ｂに下方から入射した反射波をより確実に拡散させることができるが、例えば、図５（ｄ）に示すように、断面が三角形などの多角形の棒状部材を所定半径で折り曲げることにより曲線形状にしてもよい。
【００４３】
また、このように取付金具１４のアーム部１４ｂを曲線形状にするのは、送信装置１０の取付金具１４の各受信装置２０の受信アンテナ２２に対する等価反射断面積を小さくして、送信装置１０の取付金具１４を介して受信装置２０の受信アンテナ２２に入射する反射波の信号レベルを小さくするためである。
【００４４】
そして、このように反射波の信号レベルを小さくするには、取付金具１４のアーム部１４ｂを必ずしも曲線形状にする必要はなく、図５（ｅ）に示すように、取付金具１４のアーム部１４ｂを、電波の反射効率の低い素材（電波吸収体など）１４ｅで被覆するようにしてもよく、或いは、図５（ｆ）に示すように、取付金具１４のアーム部１４ｂに棒状のものを用い、これを金具本体１４ａの板面に対して傾斜して取り付けるようにしてもよい。
【００４５】
つまり、このようにすれば、取付金具１４のアーム部１４ｂに下方から入射した反射波は、電波吸収体などの素材で充分減衰されるか、或いは、アーム部１４ｂの角度に応じて斜め下方若しくは水平方向に反射されることになるので、アーム部１４ｂで反射した反射波が受信装置２０の受信アンテナ２２に入射するのを防止することができる。
【００４６】
なお、図５（ａ）は曲線形状のアーム部１４ｂを備えた取付金具１４の斜視図であり、図５（ｂ）はその取付金具１４を建造物の屋上のフェンスなどに固定した状態を表す側面図であり、図５（ｃ）〜図５（ｄ）はアーム部１４ｂの断面構造を表す断面図であり、図５（ｆ）は、金具本体１４ａに対して棒状のアーム部１４ｂを所定角度で傾斜して取り付けた取付金具１４の断面図である。
【００４７】
また、地上の物体からの反射波は、送信装置１０の取付金具１４だけでなく、受信装置２０の取付金具２４で反射して、この受信装置２０よりも下の階の受信装置２０の受信アンテナ２２に入射することも考えられるので、図５に示した取付金具１４の構造は、受信装置２０の取付金具２４に適用し、取付金具２４のアーム２４ａを曲線形状にしたり、電波の反射効率の低い素材で被覆したり、あるいは、アーム２４ａの曲げ角度を直角以外に変更するようにしてもよい。
【図面の簡単な説明】
【図１】実施例の放送信号の送受信装置全体の構成を表す構成図である。
【図２】送信装置に対する各階の受信装置の配置を建造物の側壁面に沿って表す説明図である。
【図３】受信装置の設置位置の調整作業を説明する説明図である。
【図４】受信装置の設置位置を調整可能な取付金具の構成例を説明する説明図である。
【図５】送信装置の取付金具の構成例を説明する説明図である。
【図６】本発明の課題を説明する説明図である。
【符号の説明】
２…ＢＳ／ＣＳアンテナ、４…電源挿入器、６…電源装置、８…ＢＳ／ＣＳチューナ、１０…送信装置、１２…送信アンテナ、１４…取付金具、１４ａ…金具本体、１４ｂ…アーム部、１４ｃ…取付板、１４ｄ…ネジ部、２０…受信装置、２０ａ…板部、２２…受信アンテナ、２４…取付金具、２４ａ…アーム、２４ｂ…固定具、２４ｃ…挿通孔、２４ｄ…板部、２４ｅ…金具本体、２４ｆ…取付板、２４ｇ…ボルト、２４ｈ…ボルト、２４ｉ…ナット、２４ｊ…板部、２４ｋ…ボルト、２４ｍ…挿通孔、２４ｎ…挿通孔、２４ｏ…ボルト。
【図１】
2005005980.tif 000003
【図２】
2005005980.tif 000004
【図３】
2005005980.tif 000005
【図４】
2005005980.tif 000006
【図５】
2005005980.tif 000007
【図６】
2005005980.tif 000008